【事件の表示】
　特許第３２３９２６４号「多機能電解水生成装置」の請求項１ないし３に係る特許に対する特許異議の申立てについて、次のとおり決定する。
【結　論】
　訂正を認める。
　特許第３２３９２６４号の訂正後の請求項１ないし３に係る特許を維持する。
【理　由】
１．手続の経緯
  本件特許第３２３９２６４号の請求項１〜３に係る発明についての出願は、平成１０年１１月４日に特許出願されたものであって、平成１３年１０月１２日にその発明について特許権の設定登録がなされたものである。
　これに対して、古川康彦（以下、「申立人」という）より特許異議の申立てがなされ、取消理由が通知され、その指定期間内の平成１４年１０月２９日に訂正請求がなされ、その後特許異議申立人に対し審尋がなされ、その指定期間内に回答書が提出されたものである。
２．訂正の適否
２−１．訂正の内容
  本件訂正の内容は、本件特許明細書を訂正請求書に添付された訂正明細書のとおり、すなわち訂正事項ａ〜ｋのとおりに訂正しようとするものである。
（１）訂正事項ａ
請求項１を、「原水を電解槽に流入するに先立ち電解質添加筒から原水に電解質を添加することにより、供給水の性質を替える多機能電解水生成装置であって、第１の添加筒と第２の添加筒とは同一個所で互換可能に嵌挿され、第１の添加筒を挿入したとき第１電解質が供給され、第２の添加筒を挿入したとき第２電解質が供給されるものにおいて、第１の添加筒を設置した時にアルカリイオン水は吐水口から吐水され、第２の添加筒を設置した時にも前記吐水口から強酸性水が吐水され、電解槽の最上部から下方に設けられた添加筒の近傍にスイッチ手段が設けられ、上記スイッチ手段は第１と第２の添加筒の差異を識別し、それぞれの添加筒から溶出する薬液は薬液流路の位置および薬液を溶出する管口部の径を変えることにより電解質の排出溶解量を所定値に変えることを特徴とする多機能電解水生成装置。」と訂正する。
（２）訂正事項ｂ
　請求項３を、「前記第１と第２の添加筒を交換したとき添加筒の近傍に設けられたスイッチ手段によって陰陽電極に印加する電極の極性が反転することを特徴とする請求項１記載の多機能電解水生成装置。」と訂正する。
（３）訂正事項ｃ
　明細書中の段落【０００２】（本件特許掲載公報第２頁第３欄第２〜１６行）を、「アルカリイオン水を主として吐水する装置にあっては、電解槽供給前の原水中に含まれる飲料に不適な成分、例えば、臭気やカルキ、汚濁成分などの微細不純物や細菌などを取り除くため、電解槽の流入前に浄水器を取り付け、水道水などの原水を浄水器に供給し濾過すると共に、濾過した原水の陽極室に至る流路にミネラル成分としてカルシウム等のアルカリ土類金属有機塩を添加したのち、電解槽に流入するように構成している。電解槽は、電解槽内をイオン透過性隔膜によって陰極室と陽極室に分域し、それぞれの室内に陽電極と陰電極を設け、陰陽極室内に供給した原水を電極間に印加した直流電流の通電によって電気分解する。電気分解された原水は陰極室からｐＨの高い陰極水を、陽極室からｐＨの低い陽極水を吐水する。」と訂正する。
（４）訂正事項ｄ
　明細書中の段落【００１０】（本件特許掲載公報第２頁第４欄第２８〜３９行）を「【課題を解決するための手段】本発明の請求項１の多機能電解水生成装置は、原水を電解槽に流入するに先立ち電解質添加筒から原水に電解質を添加することにより、供給水の性質を替える多機能電解水生成装置であって、第１の添加筒と第２の添加筒とは同一個所で互換可能に嵌挿され、第１の添加筒を挿入したとき第１電解質が供給され、第２の添加筒を挿入したとき第２電解質が供給されるものにおいて、第１の添加筒を設置した時にアルカリイオン水は吐水口から吐水され、第２の添加筒を設置した時にも前記吐水口から強酸性水が吐水され、電解槽の最上部から下方に設けられた添加筒の近傍にスイッチ手段が設けられ、上記スイッチ手段は第１と第２の添加筒の差異を識別し、それぞれの添加筒から溶出する薬液は薬液流路の位置および薬液を溶出する管口部の径を変えることにより電解質の排出溶解量を所定値に変えることを特徴とする。」と訂正する。
（５）訂正事項ｅ
　明細書中の段落【００１２】（本件特許掲載公報第２頁第４欄第４５〜４８行）を「本発明の請求項３の多機能電解水生成装置は、前記第１と第２の添加筒を交換したとき添加筒の近傍に設けられたスイッチ手段によって陰陽電極に印加する電極の極性が反転することを特徴とする。」と訂正する。
（６）訂正事項ｆ
　明細書中の段落【００１５】（本件特許掲載公報第３頁第５欄第１９〜２９行）を「採水するアルカリイオン水と強酸性水の吐水口を同一とするとき、同じ吐水口からアルカリイオン水と強酸性水が吐水するので使い勝手がよい。なお、吐水口とは通常装置使用者が便利に利用する吐水口のことをいう。このため、図１（ｂ）の第２の添加筒８−２を嵌挿した場合には電解槽の電極への電圧印加方向を自動的に反転するスイッチ手段２５が添加筒嵌挿部近傍に設けている。このスイッチ手段２５の信号に基づいて第１の添加筒８−１から第２の添加筒８−２に替えるとき、電圧印加方向は反転し、図１（ａ）に示した陰極室は陽極室、陽極室は陰極室となる。流量計はいずれの吐水の場合でも吐水量を計測する流量計として動作する。」と訂正する。
（７）訂正事項ｇ
　明細書中の段落【００１６】（本件特許掲載公報第３頁第５欄第３０〜３８行）を「添加筒８はアルカリイオン水または強酸性水の吐水に適合する、互換性のある第１の添加筒８−１と第２の添加筒８−２のいずれかを使用する。それぞれの添加筒８−１、８−２は所望の吐水を得るに先立ち交換する。すなわち、第１の添加筒にカルシウム剤を入れた場合には、吐水口１８からｐＨが高く、カルシウムを多く含むアルカリイオン水が吐水する。また、第２の添加筒８−２に食塩を入れた場合には、吐水口１８からはｐＨが低く次亜塩素酸などを含む強酸性水が吐水する。」と訂正する。
（８）訂正事項ｈ
　明細書中の段落【００２１】（本件特許掲載公報第３頁第６欄第４１〜４６行）を「添加筒８−１、８−２の管口部は薬剤、食塩の最適溶解度を規定するように開孔されるが、一般的には薬剤に比べて食塩用は小径に設定される。この径は電解槽の許容電流容量および所望する強酸性水の強度（例えば、ＯＲＰ）などによって適宜変更することができる。」と訂正する。
（９）訂正事項ｉ
　明細書中の段落【００２３】（本件特許掲載公報第４頁第７欄第２〜１８行）を「前記したように第１の添加筒と第２の添加筒を入れ替えるときスイッチ手段２５が作動して、電解槽への電極への印加電圧は反転する。しかしながら反転と同時にアルカリイオン水が強酸性水に変わったものとして使用するのは危険である。第２の添加筒から溶解した食塩水が配管５を通り電解されるまでにはタイムラグがある。他方、浄水に食塩水が含まれると浄水の伝導度は上昇し陰陽極間に流れる電流は急激に増加する。逆に、第２の添加筒と第１の添加筒を入れ替えるときスイッチ手段２５が作動して、電解槽への電極への印加電圧は反転する。しかしながら反転と同時に強酸性水がアルカリイオン水に変わってものとして使用するのは危険である。第１の添加筒から溶解した薬液が電解されるまでにはタイムラグがある。この危険をさげるため、スイッチ手段２５の作動と共に、浄水の伝導度の変化から吐水する電解水が真のアルカリイオン水か強酸性水かを表示することにより、装置使用者は安全性を確認することができる。一例として、強酸性水が吐水された後その残留強酸性水がアルカリイオン水と混合しないように、タイムラグの間に浄水を通過させ残留強酸性水を除去する。この処理により残留強酸性水に対する安全の確保が図られる。」と訂正する。
（１０）訂正事項ｊ
　明細書中の段落【００２５】（本件特許掲載公報第４頁第７欄第２２〜３５行）を「図において、３１は電源の整流回路３２と陰陽極１５、１７との間に設けられた電流センサであり、電流センサは電流値が所定値以上か以下かを判断する比較器３４を介してゲート３５の一端に接続されている。他方、スイッチ手段２５からの信号はフリップフロップ３７を介してゲート３５の他端に接続されている。吐水表示制御器３６にはフリップフロップ３７からの信号とゲート３５の出力端子信号が入力される。いま、フリップフロップ３７からの信号がオン、ゲート３５の出力端子信号がオフのとき吐水表示ランプ３３は点滅し、フリップフロップ３７からの信号がオン、ゲート３５の出力端子信号がオンのとき完全に点灯すれば、装置使用者は吐水が真のアルカリイオン水か強酸性水かを確認することができる。」と訂正する。
（１１）訂正事項ｋ
　明細書中の段落【００２８】（本件特許掲載公報第４頁第８欄第１４〜１９行）を「第１の添加筒と第２の添加筒を交換したとき添加筒の近傍に設けられたスイッチ手段によって陰陽電極に印加する電圧の印加方向を自動的に反転するので、第１の添加筒を設けたとき主として採水するアルカリイオン水と第２の添加筒を設けたとき主として採水する強酸性水を同一の吐水口から採取することができ、使い勝手がよい。」と訂正する。
２−２．訂正の目的の適否、新規事項の有無及び拡張変更の存否
（１）上記訂正事項ａについて
　上記訂正事項ａは、詳細にみると、ａ−１．「第１の添加筒を挿入したとき第１電解質が供給され、第２の添加筒を挿入したとき第２電解質が供給されるものにおいて、」の次に「第１の添加筒を設置した時にアルカリイオン水は吐水口から吐水され、第２の添加筒を設置した時にも前記吐水口から強酸性水が吐水され、」を挿入する、ａ−２．「それぞれの添加筒から電解質の排出溶解量を特定値に変える」を「それぞれの添加筒から溶出する薬液は薬液流路の位置および薬液を溶出する管口部の径を変えることにより電解質の排出溶解量を所定値に変える」と訂正するというものであるが、上記訂正事項ａ−１．は、第１及び第２の添加筒の場合の吐水口を限定したものであり、また上記訂正事項ａ−２．は添加筒の薬液流路や管口部を限定するものであるから、両者は特許請求の範囲の減縮を目的とする訂正に該当する。
  そして上記訂正事項ａ−１．は、明細書中の「所望によって飲料に供する陰極水（アルカリイオン水）を主として吐出するものと、消毒や殺菌洗浄水などに供する強い陽極水（強酸性水）を主として吐水するものを自在に切り換えて」（本件特許掲載公報第１頁第２欄第１２〜１５行）という記載や、「第１の添加筒を設けたとき主として採水するアルカリイオン水と第２の添加筒を設けたとき主として採水する酸性水を同一の吐出口から採水することができ」（本件特許掲載公報第４頁第８欄第６〜９行）という記載からみて、願書に添付した明細書に記載した事項の範囲内においてなされたものであり、また実質上特許請求の範囲を拡張し、又は変更するものでもない。
　また、上記訂正事項ａ−２．は、明細書中の「第１の添加筒８−１と第２の添加筒８−２のいずれかを使用した場合、薬液が流れる流路および量が選択的に変わる。」（本件特許掲載公報第３頁第５欄第４０〜４２行）という記載や、「管口部は薬剤、食塩の最適溶解度を規定するように開口されるが、一般的には薬剤に比べて食塩用は小径に設定される。この径は電解槽の許容電流容量および所望する酸性水の強度（例えば、ＯＲＰ）などによって適宜変更することができる。」（本件特許掲載公報第３頁第６欄第４１〜４６行）という記載からみて、願書に添付した明細書に記載した事項の範囲内においてなされたものであり、また実質上特許請求の範囲を拡張し、又は変更するものでもない。
（２）上記訂正事項ｂについて
　上記訂正事項ｂは、詳細にみると、「電圧の極性」を「電極の極性」に訂正したものであるから、誤記の訂正を目的とする訂正に該当し、願書に添付した明細書に記載した事項の範囲内においてなされたものであり、また実質上特許請求の範囲を拡張し、又は変更するものでもない。
（３）上記訂正事項ｃについて
　上記訂正事項ｃは、詳細にみると、「不適に成分」、「細菌ど」をそれぞれ「不適な成分」、「細菌など」と訂正したものであるから、誤記の訂正を目的とする訂正に該当し、願書に添付した明細書に記載した事項の範囲内においてなされたものであり、また実質上特許請求の範囲を拡張し、又は変更するものでもない。
（４）上記訂正事項ｄ〜ｈ、ｊ、ｋについて
   上記訂正事項ｄ〜ｈ、ｊ、ｋは、上記訂正事項ａの訂正に伴うものであり、減縮された特許請求の範囲の記載と明細書の記載を整合させるために明りょうでない記載の釈明を行うことを目的とする訂正に該当し、願書に添付した明細書に記載した事項の範囲内においてなされたものであり、また実質上特許請求の範囲を拡張し、又は変更するものでもない。
（５）上記訂正事項ｉについて
　上記訂正事項ｉは、詳細にみると、ｉ−１．「酸性水」を「強酸性水」と訂正する、ｉ−２．「一例として、強酸性水が吐水された後その残留強酸性水がアルカリイオン水と混合しないように、タイムラグの間に浄水を通過させ残留強酸性水を除去する。この処理により残留強酸性水に対する安全の確保が図られる。」を追加するというものであるが、上記訂正事項ｉ−１．については上記（４）で述べたとおりであり、また上記訂正事項ｉ−２．はタイムラグ期間の動作を明りょうにしたものであるから、両者とも明りょうでない記載の釈明を目的とする訂正に該当し、願書に添付した明細書に記載した事項の範囲内においてなされたものであり、また実質上特許請求の範囲を拡張し、又は変更するものでもない。
２−３．まとめ
　以上のとおりであるから、上記訂正は、特許法第１２０条の４第２項及び同条第３項において準用する特許法第１２６条第２項及び第３項の規定に適合するので、当該訂正を認める。
３．本件訂正発明
　特許権者が請求した上記訂正は、上述したとおり、認容することができるから、訂正後の本件請求項１〜３に係る発明は訂正明細書の特許請求の範囲の請求項１〜３に記載された事項により特定される次のとおりのものである（以下、「本件訂正発明１〜３」という）。
「【請求項１】原水を電解槽に流入するに先立ち電解質添加筒から原水に電解質を添加することにより、供給水の性質を替える多機能電解水生成装置であって、第１の添加筒と第２の添加筒とは同一個所で互換可能に嵌挿され、第１の添加筒を挿入したとき第１電解質が供給され、第２の添加筒を挿入したとき第２電解質が供給されるものにおいて、第１の添加筒を設置した時にアルカリイオン水は吐水口から吐水され、第２の添加筒を設置した時にも前記吐水口から強酸性水が吐水され、電解槽の最上部から下方に設けられた添加筒の近傍にスイッチ手段が設けられ、上記スイッチ手段は第１と第２の添加筒の差異を識別し、それぞれの添加筒から溶出する薬液は薬液流路の位置および薬液を溶出する管口部の径を変えることにより電解質の排出溶解量を所定値に変えることを特徴とする多機能電解水生成装置。
【請求項２】第１の添加筒と第２の添加筒を入れ替えるとき、スイッチ手段の信号と共に、電解電流の変化をもってアルカリイオン水と強酸性水がそれぞれ使用可能状態になったことを明示する手段を設けたことを特徴とする請求項１記載の多機能電解水生成装置。
【請求項３】前記第１と第２の添加筒を交換したとき添加筒の近傍に設けられたスイッチ手段によって陰陽電極に印加する電極の極性が反転することを特徴とする請求項１記載の多機能電解水生成装置。」
４．当審の取消理由通知について
４−１．当審の取消理由の概要
　当審が通知した取消理由の概要は、（ｉ）請求項１〜３に係る発明は、刊行物１、２に記載された発明に基づいて当業者が容易に発明をすることができたものであるから、請求項１〜３に係る特許は、特許法第２９条第２項の規定に違反してされたものであり取り消されるべきものである、（ｉｉ）請求項１、３の記載は記載不備であるから、請求項１、３に係る特許は、特許法第３６条第６項第２号の規定に違反してなされたものであり取り消されるべきものであると云うものである。
４−２．上記（ｉ）の取消理由について
４−２−１．刊行物の記載内容
（１）刊行物１：特開平９−２３４４６８号公報：申立人の甲第１号証
（ａ）「電解質供給手段は、電解質を収納する容器と、前記容器が着脱自在に装着されるジャケットとを備え、前記容器は電解質の種類に応じて複数種類から選択されるとともに、選択された容器の種類に応じて第１の切換手段を自動的に切り換えることを特徴とする請求項１記載の電解水生成装置。」（請求項２）
（ｂ）「第１の切換手段は電動弁であって、前記容器には電解質の種類を識別する識別手段が設けられ、前記ジャケットには前記識別手段に応じて電動弁を駆動して流路を切り換えさせる検知手段が設けられて成ることを特徴とする請求項２記載の電解水生成装置。」（請求項３）
（ｃ）「電解隔膜を介して形成した一対の電極室にそれぞれ水を流入させ各電極室に設けた電極間に電圧を印加して水を電解することにより、一方の電極室においてアルカリ性水を生成するとともに他方の電極室において酸性水を生成し、アルカリ性水と酸性水との電解水を各電極室にそれぞれ設けた流出口から各別に流出させる電解水生成装置において、各電極室に流入する少なくとも一方の水に電解質を添加する電解質供給装置と、弱塩基性ないし弱酸性の電解水を吐出させる第１の吐出管と、強酸化水や強酸性水を吐出させる第２の吐出管と、残りの水を吐出させる第３の吐出管と、各電極室の流出口と各吐出管との間の流路を選択する第２の切換手段とを備え、前記第２の切換手段は、第１の吐出管と第２の吐出管とを択一的に選択する第１の流路切換弁と、各電極室から流出する電解水の一方を第１の流路切換弁に送り他方を第３の吐出管に送る状態と、一方を第３の吐出管に送り他方を第１の流路切換弁に送る状態とを選択する第２の流路切換弁とからなり、添加される電解質の種類と電極間の印加電圧とに応じて第１の流路切換弁と第２の流路切換弁との状態が制御手段により選択されることを特徴とする電解水生成装置。」（請求項７）
（ｄ）「アルカリイオン整水器と強酸化水生成装置との両機能を併せ持たせた電解水生成装置を提供することにあり」（第４頁第５欄第４６〜４８行）
（ｅ）「一方、アルカリイオン水を生成する際に用いる容器４２ａは、図５（ａ）のように両排出管路４１ｂ，４１ｃにそれぞれ連通する開口４４ａ，４４ｂが形成されている。また、強酸化水を生成する際に用いる容器４２ｂは、図５（ｂ）のように両排出路管４１ｂ，４１ｃにそれぞれ連通する開口４４ａ，４４ｂに加えて底壁の中央部から延長された導入筒４４ｃを備える。導入筒４４ｃは導入路管４１ａに挿入したときに先端部がバイパス路管４１ｄを閉塞する長さを有する。」（第７頁第１１欄第２１〜２９行）
（ｆ）「ここにおいて、ジャケット４１の外側面には高周波発振型の近接スイッチ４５が取り付けられており、・・・したがって、近接スイッチ４５の出力を後述する制御部に与えることにより、アルカリイオン水、酸性イオン水、強酸性水などを生成する状態か、強酸化水を生成する状態かを制御部に指示することができる。」（第７頁第１２欄第５〜１５行）
（２）刊行物２：特開平１０−６６９７４号公報：申立人の甲第２号証
（ａ）「浄水器から浄水を電解槽に送る通水本管を途中で電解槽の陰極室に至る流入管と陽極室に至る流入管とに分岐して配管し、更に電解槽に陰極室から出る流出管と陽極室から出る流出管とを設け、その流入側の管水路に浄水のｐＨ値を調整する物質を添加するｐＨ調整物質添加槽を備えたイオン水生成器において、上記ｐＨ調整物質添加槽を構成する一端部を閉鎖し、他端部を開閉自在のキャップで閉じる外筒に、通水本管と、陰極室流入管又は陽極室流入管或いは両室流入管のいずれかの働きをする２本の流入管とを備え付けて、その外筒の内部空間に各管の内部空間を連通し、更に通水本管と１本の流入管とを連通管により結合し、その連通管を結合した流入管の外筒と連通管を結ぶ一部水路を連通管と結合する他部水路より細くし、又陽極室流出管の水路を陰極室流出管の水路より細くして、それ等の細める割合を流入管側で大きく、流出管側で小さくし、アルカリ性水が必要な場合にはその外筒内に、収納したカルシウムイオン濃度を上げる物質を浸す水通過口を有し、キャップ閉鎖時に通水本管の内部開口を閉じるアルカリ性水ｐＨ調整物質収納交換用中筒を入れて、アルカリ性水ｐＨ調整物質添加槽ユニットとして用い、酸性水が必要な場合にはその外筒内に、収納したｐＨ値を下げる物質を浸す水通過口を有し、キャップ閉鎖時に連通管を閉じる酸性水ｐＨ調整物質収納交換用中筒を入れて、酸性水ｐＨ調整物質添加槽ユニットとして用いることを特徴とするｐＨ調整物質添加槽を備えたイオン水生成器。」（請求項３）
（ｂ）「図１は本発明を適用したイオン水生成器に備えるアルカリ性水ｐＨ調整物質添加槽ユニットの要部を示す部分断面図である。・・・又、中筒２２はその底壁３２を円錐台状に内側に突出し、下端部側壁に水通過口３４を数箇所例えば６箇所均等に配設する。そして、各水通過口３４をそれぞれ網３６で閉じる。」（第３頁第４欄第４１行〜第４頁第５欄第２３行）
（ｃ）「図４は本発明を適用したイオン水生成器に備える酸性水ｐＨ調整物質添加槽ユニットの要部を示す部分断面図である。・・・この中筒８６も下端部を閉鎖し上端部を開放した円筒体にし、その底壁９０を円錐台状に内側に突出する。そして、底壁９０の中央に連通管１８を閉鎖して、通水本管１４の水を内部空間内に導くための突出管９２を設け、下端部側壁に水通過口９４を数箇所例えば４箇所均等に配設する。」（第５頁第７欄第２５〜４２行）
４−２−２．当審の判断
　刊行物１の上記（１）（ｄ）には「アルカリイオン整水器と強酸化水生成装置との両機能を併せ持たせた電解水生成装置」が記載されており、装置の全体構造は上記（１）（ｃ）によれば「電解隔膜を介して形成した一対の電極室にそれぞれ水を流入させ各電極室に設けた電極間に電圧を印加して水を電解することにより、一方の電極室においてアルカリ性水を生成するとともに他方の電極室において酸性水を生成し、アルカリ性水と酸性水との電解水を各電極室にそれぞれ設けた流出口から各別に流出させる電解水生成装置において、各電極室に流入する少なくとも一方の水に電解質を添加する電解質供給装置と、弱塩基性ないし弱酸性の電解水を吐出させる第１の吐出管と、強酸化水や強酸性水を吐出させる第２の吐出管と、残りの水を吐出させる第３の吐出管と、各電極室の流出口と各吐出管との間の流路を選択する第２の切換手段とを備え、前記第２の切換手段は、第１の吐出管と第２の吐出管とを択一的に選択する第１の流路切換弁と、各電極室から流出する電解水の一方を第１の流路切換弁に送り他方を第３の吐出管に送る状態と、一方を第３の吐出管に送り他方を第１の流路切換弁に送る状態とを選択する第２の流路切換弁とからなり、添加される電解質の種類と電極間の印加電圧とに応じて第１の流路切換弁と第２の流路切換弁との状態が制御手段により選択されることを特徴とする電解水生成装置」である。
　そして上記（１）（ａ）によれば、上記「電解質供給装置」は、「電解質を収納する容器」と、「容器が着脱自在に装着されるジャケット」とを備え、容器は電解質の種類に応じて複数種類から選択されるとともに、選択された容器の種類に応じて第１の切換手段を自動的に切り換えることが記載されている。
　また、上記（１）（ｂ）（ｆ）によれば、ジャケットには検知手段である「近接スイッチ」が設けられ、その出力を「制御部」に与えることにより、アルカリイオン水などを生成する状態か、強酸化水を生成する状態かを制御部に指示することができることが記載されている。
　また、上記（１）（ｅ）によれば、アルカリイオン水を生成する際に用いる容器は、開口４４ａ，４４ｂが形成されており、強酸化水を生成する際に用いる容器は、開口４４ａ，４４ｂに加えて底壁の中央部から延長された導入筒を備えることが記載されている。
　これら記載事項を本件訂正発明１の記載ぶりに則って整理すると、刊行物１には「電解水生成装置であって、アルカリイオン水を生成する際に用いる電解質の入った容器と強酸化水を生成する際に用いる電解質の入った容器のどちらかをジャケット内に着脱自在に装着する電解質供給装置を備えるものにおいて、容器の種別を判別する近接スイッチがジャケットに設けられ、アルカリイオン水を吐出させる第１の吐出管と強酸化水を吐出させる第２の吐出管とを択一的に選択する第１の流路切換弁と、各電極室から流出する電解水の一方を第１の流路切換弁に送り他方を残りの水を吐出する第３の吐出管に送る状態と、一方を第３の吐出管に送り他方を第１の流路切換弁に送る状態とを選択する第２の流路切換弁とからなり、容器の種別により第１の流路切換弁と第２の流路切換弁との状態が制御手段により選択され、かつ、アルカリイオン水を生成する際に用いる容器は、二つの開口が形成されており、強酸化水を生成する際に用いる容器は、前記二つの開口に加えて底壁の中央部から延長された導入筒を備える、アルカリイオン整水器と強酸化水生成装置の両機能を併せ持った電解水生成装置。」という発明（以下、「刊行物１発明」という）が記載されていると云える。
　そこで、本件訂正発明１と刊行物１発明とを対比すると、刊行物１発明の「アルカリイオン水を生成する際に用いる電解質」、「容器」、「強酸化水」、「強酸化水を生成する際に用いる電解質」、「アルカリイオン整水器と強酸化水生成装置の両機能を併せ持った電解水生成装置」は、本件訂正発明１の「第１電解質」、「添加筒」、「強酸性水」、「第２電解質」、「多機能電解水生成装置」にそれぞれ相当するから、両者は「原水を電解槽に流入するに先立ち電解質添加筒から原水に電解質を添加することにより、供給水の性質を替える多機能電解水生成装置であって、第１の添加筒と第２の添加筒とは同一個所で互換可能に嵌挿され、第１の添加筒を挿入したとき第１電解質が供給され、第２の添加筒を挿入したとき第２電解質が供給されるものにおいて、添加筒の近傍にスイッチ手段が設けられ、上記スイッチ手段は第１と第２の添加筒の差異を識別する多機能電解水生成装置」という点で一致し、次の点で相違していると云える。
相違点（イ）：本件訂正発明１では、「第１の添加筒を設置した時にアルカリイオン水は吐水口から吐水され、第２の添加筒を設置した時にも前記吐水口から強酸性水が吐水されている」のに対して、刊行物１発明では、「アルカリイオン水を吐出させる第１の吐出管と強酸化水を吐出させる第２の吐出管とからなる」点
相違点（ロ）：本件訂正発明１では、「添加筒が電解槽の最上部から下方に設けられている」のに対して、刊行物１発明では、その点が明示されていない点
相違点（ハ）：本件訂正発明１では、「それぞれの添加筒から溶出する薬液は薬液流路の位置および薬液を溶出する管口部の径を変えることにより電解質の排出溶解量を所定値に変える」のに対して、刊行物１発明では、「アルカリイオン水を生成する際に用いる容器は、二つの開口が形成されており、強酸化水を生成する際に用いる容器は、前記二つの開口に加えて底壁の中央部から延長された導入筒を備える」点
　次に、これら相違点のうち特に相違点（ハ）について検討すると、刊行物２には、アルカリ性水が必要な場合や酸性水が必要な場合に外筒にそれぞれアルカリ性水ｐＨ調整物質収納交換用中筒や酸性水ｐＨ調整物質収納交換用中筒を入れるｐＨ調整物質添加槽を備えたイオン水生成器が記載されているが、このアルカリ性水ｐＨ調整物質収納交換用中筒は、上記（２）（ｂ）によれば、その中筒の水出入り口が下端部側壁の水通過口であり、また酸性水ｐＨ調整物質収納交換用中筒も、上記（２）（ｃ）によれば、その中筒の水出入り口が下端部側壁の水通過口と突出管であるから、刊行物１発明のものと同様「管口部の径を変える」ものではない。
　してみると、本件訂正発明の相違点（ハ）は、刊行物２にも示唆されていないから当業者が容易に想到し得るものではない。
 したがって、本件訂正発明は、刊行物１、２に記載された発明に基づいて当業者が容易に発明をすることができたものであるとすることはできない。
（２）本件訂正発明２、３について
　本件訂正発明１、２は、請求項１を引用しさらに限定した発明であるから、上記（１）と同じ理由で、刊行物１、２に記載された発明に基づいて当業者が容易に発明をすることができたものであるとすることはできない。
４−３．上記（ｉｉ）の取消理由について
  上記（ｉｉ）の取消理由は、具体的には、「排出溶解量を特定値に変える」、「電圧の極性が反転する」の記載が意味不明というものであるが、この取消理由は、上記訂正事項ａ、ｂによって解消されたと云える。
５．特許異議の申立てについて
５−１．特許異議の申立ての理由の概要
  申立人は、証拠方法として甲第１、２号証を提出し、請求項１〜３に係る発明は甲第１、２号証に記載された発明に基づいて当業者が容易に発明をすることができたものであるから、請求項１〜３に係る発明の特許は特許法第２９条第２項の規定に違反してされたものであり取り消されるべきものであると主張している。
５−２．甲各号証の記載内容
甲第１号証：特開平９−２３４４６８号公報
　上記４−２−１．の刊行物１と同じ。
甲第２号証：特開平７−２０４６５２号公報
　上記４−２−１．の刊行物２と同じ。
５−３．当審の判断
　上記４−２−２．で述べたと同じ理由で、本件訂正発明１〜３は、甲第１、２号証に記載された発明に基づいて当業者が容易に発明をすることができたものであるとすることはできない。
６．むすび
　以上のとおり、特許異議申立ての理由及び証拠方法によっては、訂正後の本件請求項１〜３に係る発明の特許を取り消すことはできない。
 また、他に訂正後の本件請求項１〜３に係る発明の特許を取り消すべき理由を発見しない。
　よって、結論のとおり決定する。
【異議決定日】
平成１５年２月２６日（２００３．２．２６）
【訂正の要旨】
▲１▼　特許請求の範囲の請求項１の「原水を電解槽に流入するに先立ち電解質添加筒から原水に電解質を添加することにより、供給水の性質を替える多機能電解水生成装置であって、第１の添加筒と第２の添加筒とは同一個所で互換可能に嵌挿され、第１の添加筒を挿入したとき第１電解質が供給され、第２の添加筒を挿入したとき第２電解質が供給されるものにおいて、
　電解槽の最上部から下方に設けられた添加筒の近傍にスイッチ手段が設けられ、上記スイッチ手段は第１と第２の添加筒の差異を識別し、それぞれの添加筒から電解質の排出溶解量を特定値に変えることを特徴とする多機能電解水生成装置。」の文を「原水を電解槽に流入するに先立ち電解質添加筒から原水に電解質を添加することにより、供給水の性質を替える多機能電解水生成装置であって、第１の添加筒と第２の添加筒とは同一個所で互換可能に嵌挿され、第１の添加筒を挿入したとき第１電解質が供給され、第２の添加筒を挿入したとき第２電解質が供給されるものにおいて、
　
第１の添加筒を設置した時にアルカリイオン水は吐水口から吐水され、第２の添加筒を設置した時にも前記吐水口から強酸性水が吐水され、
から溶出する薬液は薬液流路の位置および薬液を溶出する管口部の径を変えることにより
所
▲２▼　特許請求の範囲の請求項３の「前記第１と第２の添加筒を交換したとき添加筒の近傍に設けられたスイッチ手段によって陰陽電極に印加する電圧の極性が反転することを特徴とする請求項１記載の多機能電解水生成装置。」の文を「前記第１と第２の添加筒を交換したとき添加筒の近傍に設けられたスイッチ手段によって陰陽電極に印加する電
極
▲３▼　【０００２】
　【従来の技術】の「アルカリイオン水を主として吐水する装置にあっては、電解槽供給前の原水中に含まれる飲料に不適に成分、例えば、臭気やカルキ、汚濁成分などの微細不純物や細菌どを取り除くため、電解槽の流入前に浄水器を取り付け、水道水などの原水を浄水器に供給し濾過すると共に、濾過した原水の陽極室に至る流路にミネラル成分としてカルシウム等のアルカリ土類金属有機塩を添加したのち、電解槽に流入するように構成している。電解槽は、電解槽内をイオン透過性隔膜によって陰極室と陽極室に分域し、それぞれの室内に陽電極と陰電極を設け、陰陽極室内に供給した原水を電極間に印加した直流電流の通電によって電気分解する。電気分解された原水は陰極室からｐＨの高い陰極水を、陽極室からｐＨの低い陽極水を吐水する。」の文を「アルカリイオン水を主として吐水する装置にあっては、電解槽供給前の原水中に含まれる飲料に不適
な
な
▲４▼　また、特許請求の範囲の記載の減縮及び錯誤の訂正に伴って、発明の詳細な説明の【００１０】の「課題を解決するための手段」の文「本発明の請求項１の多機能電解水生成装置は、原水を電解槽に流入するに先立ち電解質添加筒から原水に電解質を添加することにより、供給水の性質を替える多機能電解水生成装置であって、第１の添加筒と第２の添加筒とは同一個所で互換可能に嵌挿され、第１の添加筒を挿入したとき第１電解質が供給され、第２の添加筒を挿入したとき第２電解質が供給されるものにおいて、電解槽の最上部から下方に設けられた添加筒の近傍にスイッチ手段が設けられ、上記スイッチ手段は第１と第２の添加筒の差異を識別し、それぞれの添加筒は電解質の排出溶解量を特定値に変えることを特徴とする。」を「本発明の請求項１の多機能電解水生成装置は、原水を電解槽に流入するに先立ち電解質添加筒から原水に電解質を添加することにより、供給水の性質を替える多機能電解水生成装置であって、第１の添加筒と第２の添加筒とは同一個所で互換可能に嵌挿され、第１の添加筒を挿入したとき第１電解質が供給され、第２の添加筒を挿入したとき第２電解質が供給されるものにおいて、
　
第１の添加筒を設置した時にアルカリイオン水は吐水口から吐水され、第２の添加筒を設置した時にも前記吐水口から強酸性水が吐水され、
から溶出する薬液は薬液流路の位置および薬液を溶出する管口部の径を変えることにより
所
極
▲５▼　【００１５】の文「採水するアルカリイオン水と強酸性水の吐水口を同一とするとき、同じ吐水口からアルカリイオン水と強酸性水が吐水するので使い勝手がよい。このため、図１（ｂ）の第２の添加筒８−２を嵌挿した場合には電解槽の電極への電圧印加方向を自動的に反転するスイッチ手段２５が添加筒嵌挿部近傍に設けている。このスイッチ手段２５の信号に基づいて第１の添加筒８−１から第２の添加筒８−２に替えるとき、電圧印加方向は反転し、図１（ａ）に示した陰極室は陽極室、陽極室は陰極室となる。流量計はいずれの吐水の場合でも吐水量を計測する流量計として動作する。」の文を「採水するアルカリイオン水と
強
強
なお、吐水口とは通常装置使用者が便利に利用する吐水口のことをいう。
▲６▼　【００１６】の文「添加筒８はアルカリイオン水または強酸性水の吐水に適合する、互換性のある第１の添加筒８−１と第２の添加筒８−２のいずれかを使用する。それぞれの添加筒８−１、８−２は所望の吐水を得るに先立ち交換する。すなわち、第１の添加筒にカルシウム剤を入れた場合には、吐水口１８からｐＨが高く、カルシウムを多く含むアルカリイオン水が吐水する。また、第２の添加筒８−２に食塩を入れた場合には、吐水口１８からはｐＨが低く次亜塩素酸などを含む強酸性水が吐水する。」の文を「添加筒８はアルカリイオン水または
強
▲７▼　【００２１】の文「添加筒８−１、８−２の管口部は薬剤、食塩の最適溶解度を規定するように開孔されるが、一般的には薬剤に比べて食塩用は小径に設定される。この径は電解槽の許容電流容量および所望する強酸性水の強度（例えば、ＯＲＰ）などによって適宜変更することができる。」の文を「添加筒８−１、８−２の管口部は薬剤、食塩の最適溶解度を規定するように開孔されるが、一般的には薬剤に比べて食塩用は小径に設定される。この径は電解槽の許容電流容量および所望する
強
▲８▼　【００２３】の文「前記したように第１の添加筒と第２の添加筒を入れ替えるときスイッチ手段２５が作動して、電解槽への電極への印加電圧は反転する。しかしながら反転と同時にアルカリイオン水が酸性水に変わったものとして使用するのは危険である。第２の添加筒から溶解した食塩水が配管５を通り電解されるまでにはタイムラグがある。他方、浄水に食塩水が含まれると浄水の伝導度は上昇し陰陽極間に流れる電流は急激に増加する。逆に、第２の添加筒と第１の添加筒を入れ替えるときスイッチ手段２５が作動して、電解槽への電極への印加電圧は反転する。しかしながら反転と同時に酸性水がアルカリイオン水に変わってものとして使用するのは危険である。第１の添加筒から溶解した薬液が電解されるまでにはタイムラグがある。この危険をさけるため、スイッチ手段２５の作動と共に、浄水の伝導度の変化から吐水する電解水が真のアルカリイオン水か酸性水かを表示することにより、装置使用者は安全性を確認することができる。」の文を「前記したように第１の添加筒と第２の添加筒を入れ替えるときスイッチ手段２５が作動しても電解槽への電極への印加電圧は反転する。しかしながら反転と同時にアルカリイオン水が
強
強
強
、強酸性水が吐水された後その残留強酸性水がアルカリイオン水と混合しないように、タイムラグの間に浄水を通過させ残留強酸性水を除去する。この処理により残留強酸性水に対する安全の確保が図られる。
▲９▼　【００２５】の文「図において、３１は電源の整流回路３２と陰陽極１５、１７との間に設けられた電流センサであり、電流センサは電流値が所定値以上か以下かを判断する比較器３４を介してゲート３５の一端に接続されている。他方、スイッチ手段２５からの信号はフリップフロップ３７を介してゲート３５の他端に接続されている。吐水表示制御器３６にはフリップフロップ３７からの信号とゲート３５の出力端子信号が入力される。いま、フリップフロップ３７からの信号がオン、ゲート３５の出力端子信号がオフのとき吐水表示ランプ３３は点滅し、フリップフロップ３７からの信号がオン、ゲート３５の出力端子信号がオンのとき完全に点灯すれば、装置使用者は吐水が真のアルカリイオン水か酸性水かを確認することができる。」の文を「図において、３１は電源の整流回路３２と陰陽極１５、１７との間に設けられた電流センサであり、電流センサは電流値が所定値以上か以下かを判断する比較器３４を介してゲート３５の一端に接続されている。他方、スイッチ手段２５からの信号はフリップフロップ３７を介してゲート３５の他端に接続されている。吐水表示制御器３６にはフリップフロップ３７からの信号とゲート３５の出力端子信号が入力される。いま、フリップフロップ３７からの信号がオン、ゲート３５の出力端子信号がオフのとき吐水表示ランプ３３は点滅し、フリップフロップ３７からの信号がオン、ゲート３５の出力端子信号がオンのとき完全に点灯すれば、装置使用者は吐水が真のアルカリイオン水か
強
▲１０▼　【００２８】の「第１の添加筒と第２の添加筒を交換したとき添加筒の近傍に設けられたスイッチ手段によって陰陽電極に印加する電圧の印加方向を自動的に反転するので、第１の添加筒を設けたとき主として採水するアルカリイオン水と第２の添加筒を設けたとき主として採水する酸性水を同一の吐水口から採取することができ、使い勝手がよい。」の文を「第１の添加筒と第２の添加筒を交換したとき添加筒の近傍に設けられたスイッチ手段によって陰陽電極に印加する電圧の印加方向を自動的に反転するので、第１の添加筒を設けたとき主として採水するアルカリイオン水と第２の添加筒を設けたとき主として採水する
強
（５４）【発明の名称】
多機能電解水生成装置
（５７）【特許請求の範囲】
　【請求項１】　原水を電解槽に流入するに先立ち電解質添加筒から原水に電解質を添加することにより、供給水の性質を替える多機能電解水生成装置であって、第１の添加筒と第２の添加筒とは同一個所で互換可能に嵌挿され、第１の添加筒を挿入したとき第１電解質が供給され、第２の添加筒を挿入したとき第２電解質が供給されるものにおいて、
　
第１の添加筒を設置した時にアルカリイオン水は吐水口から吐水され、第２の添加筒を設置した時にも前記吐水口から強酸性水が吐水され、
から溶出する薬液は薬液流路の位置および薬液を溶出する管口部の径を変えることにより
所
　【請求項２】　第１の添加筒と第２の添加筒を入れ替えるとき、スイッチ手段の信号と共に、電解電流の変化をもってアルカリイオン水と強酸性水がそれぞれ使用可能状態になったことを明示する手段を設けたことを特徴とする請求項１記載の多機能電解水生成装置。
　【請求項３】　前記第１と第２の添加筒を交換したとき添加筒の近傍に設けられたスイッチ手段によって陰陽電極に印加する電
極
【発明の詳細な説明】
　【０００１】
　【発明の属する技術分野】
　本発明は、水道水を原水として使用し電気分解する電解水生成装置に関するものである。更に詳述すると、所望によって、飲料に供する陰極水（アルカリイオン水）を主として吐水するものと、消毒や殺菌洗浄用水などに供する強い陽極水（強酸性水）を主として吐水するものを自在に切り換えて生成する多機能電解水生成装置に関する。
　【０００２】
　【従来の技術】
　アルカリイオン水を主として吐水する装置にあっては、電解槽供給前の原水中に含まれる飲料に不適
な
な
　【０００３】
　このようにして吐水した陰極水は人体に不足しがちな物質を補充するため健康に好ましい作用をする水としてアルカリイオン水の名称で主に飲料水として使われる一方、陽極水はアストリンゼン水などとして使われてきた。陽極水は上記陰極水の使用に較べるとその使用量は少なく陽極水はそのまま排水される場合もある。
　【０００４】
　ところが、水道水に含まれる塩素および塩素イオン自体を利用するか、更に、電解槽供給前の原水中に電解質としてＮａＣｌ、ＫＣｌなどのハロゲン化合物を一定の割合で添加して、電解槽で電気分解すると、陽極室から次亜塩素酸などを含んだ低いｐＨの陽極水が得られる。この水には強力な消毒および殺菌効果があるため、強酸性水の名称で消毒や殺菌洗浄用水として重宝される。
　【０００５】
　アルカリイオン水を吐水する装置と強酸性水を吐水する装置とは電解槽そのものの構成は殆ど同じなので、電解槽へ供給する原水の溶解成分を変えることによって両機能を得ることができる。つまり、電解槽を同一とし、配管や添加する薬液、電解槽への印加電圧などを適宜変えることにより、あるときはアルカリイオン水を主に生成するための装置として、また、あるときは強酸性水を主に生成するための装置として使える多機能電解水生成装置とすることができる。
　【０００６】
　用途によってアルカリイオン水と強酸性水を同じ装置で生成する装置として、例えば、特開平９−２８５７８９号公報に開示された図４に示す装置がある。この装置では浄水器２を通過した原水にたいして食塩添加流路２０を設けると共に、食塩添加流路を開閉する切り替え手段２１を設けて、アルカリイオン水を吐出する場合には浄水器を通過した原水をそのままで、また、強酸性水を得る場合には、切り替え手段２１を切り替えて塩水タンク２２から搬送ポンプ２３で食塩量を一定とし、食塩添加流路２０を介して浄水器２を通過した原水に食塩を添加して、浄水器で濾過された浄水の電気伝導度を高めることにより強酸性水を得ている。
　【０００７】
　すなわち、上記装置においては塩水タンクが不可欠であると共に、切り換え手段を切り換える必要がある。また、塩水タンクから浄水流路に塩水を所定量添加するために搬送ポンプ等の添加量を制御する機構が必要で複雑になり、複雑になると共に誤動作をさせる恐れもあり、家庭用の簡易なアルカリイオン水／強酸性水生成装置としては経済的な面からも好ましくない。
　【０００８】
　【発明が解決しようとする課題】
　アルカリイオン水を吐水する電解水生成装置にはカルシウムを添加するための添加筒があるが、強酸性水を吐水する場合には上記添加筒は不要である。一方、原水に食塩などのハロゲン化合物を添加すれば原水の電解度が上昇して電解槽の陽極室から次亜塩素酸などを含む強酸性水が吐水する。従って、添加筒をカルシウムの添加用と食塩の添加用とに分けて、アルカリイオン水を生成するときと強酸性水を生成するときは取り替えると共に、それぞれが最適濃度の添加をするように添加筒位置を設定すると共に、添加筒から溶解排出する薬剤量を制御することにより、経済的な多機能電解水生成装置を得ることができる。
　【０００９】
　同時に、飲料水として使われる電解水と殺菌洗浄用電解水とが混じり会わないように、それぞれの電解状況を明確に使用者に知らせる機能を付加することにより、安全な多機能電解水生成装置が得られる。
　【００１０】
　【課題を解決するための手段】
　本発明の請求項１の多機能電解水生成装置は、原水を電解槽に流入するに先立ち電解質添加筒から原水に電解質を添加することにより、供給水の性質を替える多機能電解水生成装置であって、第１の添加筒と第２の添加筒とは同一個所で互換可能に嵌挿され、第１の添加筒を挿入したとき第１電解質が供給され、第２の添加筒を挿入したとき第２電解質が供給されるものにおいて、
　
第１の添加筒を設置した時にアルカリイオン水は吐水口から吐水され、第２の添加筒を設置した時にも前記吐水口から強酸性水が吐水され、
から溶出する薬液は薬液流路の位置および薬液を溶出する管口部の径を変えることにより
所
　【００１１】
　本発明の請求項２の多機能電解水生成装置は、第１の添加筒と第２の添加筒を入れ替えるとき、スイッチ手段の信号と共に、電解電流の変化をもってアルカリイオン水と強酸性水がそれぞれ使用可能状態になったことを明示する手段を設けたことを特徴とする。
　【００１２】
　本発明の請求項３の多機能電解水生成装置は、前記第１と第２の添加筒を交換したとき添加筒の近傍に設けられたスイッチ手段によって陰陽電極に印加する電
極
　【００１３】
　【発明の実施の形態】
　図１は本発明の多機能水生成装置の構成とその動作を説明する図である。図１（ａ）は電解質添加筒を第１の添加筒とした場合の一実施例であり、図１（ｂ）は電解質添加筒を第２の添加筒とした場合の一実施例である。図４と同じ作用・機構を示す部材には同じ符号を表示する。以下、本発明を、図面に示した実施例に基づいて説明する。
　【００１４】
　図１（ａ）において、１は原水の供給を行う電磁弁等の開閉弁であり、２は原水の濾過を行う浄水器で矢示方向に原水が流れ浄化され浄水となる。３は浄水器の吐水配管で、その途中から第１の添加筒８−１に分岐する配管４と電解槽に流入する配管５とに分かれ、浄水は電解槽１２の下方部管口部１１ａ、１１ｂからイオン透過性隔膜１３をもって分域した陰極１５を設けた陰極室１４と陽極１７を設けた陽極室１６で電気分解されて、それぞれの極室の吐水口１８、１９から陰極水および陽極水を吐水する。なお、１０は浄水器から吐水した浄水の圧力を測定するセンサであり、９は吐水量を計測する流量計であり、３８は圧力制御手段である。
　【００１５】
　採水するアルカリイオン水と
強
強
なお、吐水口とは通常装置使用者が便利に利用する吐水口のことをいう。
　【００１６】
　添加筒８はアルカリイオン水または
強
　【００１７】
　水圧が一定の下で、添加筒８から所要の量および所定の電解室への薬液の添加を行うため、第１の添加筒８−１と第２の添加筒８−２のいずれかを使用した場合、薬液が流れる流路および量が選択的に変わる。図１（ａ）の実線に示すように、第１の添加筒８−１を挿入した場合、電解槽の吐水口１８、１９は添加筒８−１の高さ位置より高い位置にあるので、浄水鑑２から配管３をでた浄水の一部は配管４を介して添加筒８−１でカルシウム剤を溶解したのち、配管７を介して電解槽の陽極室に流れ浄水と共に電解される。この場合、鎖線で示される配管６は閉塞されているので実質的に動作には係っていない。他方、第２の添加筒８−２が挿入された場合、図１（ｂ）の実線に示すように、浄水器２から配管３をでた浄水の一部は添加筒８−２で食塩を溶解した後、配管６を介して配管５に戻され、管口部１１ａ、１１ｂから電解槽の陰陽両極室に分岐され電解される。この場合、図１（ｂ）の鎖線に示すように配管７は閉塞されているので実質的に動作には係っていない。
　【００１８】
　水圧が変動するとき、圧力センサ１０が所定値を越えた場合、開閉弁１の開閉度を変えることにより、原水の流入量を制御して吐水配管３に流れる浄水の水圧を自動的に一定にすることができる。例えば、圧力センサ１０が浄水の動水圧から原水の静水圧を換算して１．５ｋｇｆ／ｃｍ２以上あると判断すると圧力制御手段３８が働き、開閉弁１を閉塞方向に動かし吐水配管３に流れる浄水の水圧を１．０〜１．２ｋｇｆ／ｃｍ２程度にする。圧力センサ１０が原水の静水圧に換算して１．５ｋｇｆ／ｃｍ２以下あると判断するとき開閉弁１の開閉度を持続する。このようにして原水の静水圧に関わりなく吐水配管３に流れる浄水の水圧はほぼ一定になる。このため、配管４を経て添加筒８に流れる浄水は一定量となり添加筒８から溶解流出する薬液の量が一定となる。
　【００１９】
　図２（ａ）、（ｂ）は第１の添加筒８−１と第２の添加符８−２の構造を示す一部切欠き断面図である。
　【００２０】
　添加筒８−１、８−２は形状をほぼ同一に形成した筒状収納容器で配管４、配管６、配管７の端部と嵌挿する対象管口部２４、２６、２７をもち、配管４、配管６、配管７に対して図横方向の移動をもってパッキング２８を介して着脱自在に構成されている。添加筒８−１にあっては管口部２６ａの孔は閉塞され、配管４から流入する浄水は管口部２４ａから管口部２７ａへと流れる。従って、キャップ３０を開き添加筒内にカルシウムを含む薬剤を充填するとき、薬剤は浄水に溶解して薬剤を含む浄水が管口部２７ａから排出する。同様に、添加筒８−２にあっては管口部２７ｂの孔は閉塞され、配管４から流入する浄水は管口部２４ｂから管口部２６ｂへと流れる。従って、添加筒８−２内に食塩を挿入するとき、食塩は浄水に溶解して食塩水となって管口部２６ｂから排出する。なお、薬剤、食塩が固形状態で電解槽に送られるのを防ぐため、管口部２７ａ、管口部２６ｂには固形物阻止用のフイルターを設けてもよい。
　【００２１】
　添加筒８−１、８−２の管口部は薬剤、食塩の最適溶解度を規定するように開孔されるが、一般的には薬剤に比べて食塩用は小径に設定される。この径は電解槽の許容電流容量および所望する
強
　【００２２】
　図２（ｂ）に描かれている管口部２９は添加筒８−２を感知するためのもので、添加筒を図左方向に嵌挿するときスイッチ手段２５に接触することにより添加筒が食塩を挿入したものであることを知ることができる。
　【００２３】
　前記したように第１の添加筒と第２の添加筒を入れ替えるときスイッチ手段２５が作動して、電解槽への電極への印加電圧は反転する。しかしながら反転と同時にアルカリイオン水が
強
強
強
一例として、強酸性水が吐水された後その残留強酸性水がアルカリイオン水と混合しないように、タイムラグの間に浄水を通過させ残留強酸性水を除去する。この処理により残留強酸性水に対する安全の確保が図られる。
　【００２４】
　図３はスイッチ手段の信号と電解電流の変化から使用状態になつたことを明示する機構を示す回路ブロック図である。
　【００２５】
　図において、３１は電源の整流回路３２と陰陽極１５、１７との間に設けられた電流センサであり、電流センサは電流値が所定値以上か以下かを判断する比較器３４を介してゲート３５の一端に接続されている。他方、スイッチ手段２５からの信号はフリップフロップ３７を介してゲート３５の他端に接続されている。吐水表示制御器３６にはフリップフロップ３７からの信号とゲート３５の出力端子信号が入力される。いま、フリップフロップ３７からの信号がオン、ゲート３５の出力端子信号がオフのとき吐水表示ランプ３３は点滅し、フリップフロップ３７からの信号がオン、ゲート３５の出力端子信号がオンのとき完全に点灯すれば、装置使用者は吐水が真のアルカリイオン水か
強
　【００２６】
　【発明の効果】
　本発明の多機能電解水生成装置ではアルカリイオン水と強酸性水の吐水を得るための電解質を互換性のあるそれぞれ専用の添加筒を嵌挿するのみで、電解質の適量を浄水に供給できるので、従来の強電解水生成に必要とされた搬送ポンプなどは必要としない。このため構造が簡単になる。この結果、使用者は容易にアルカリイオン水と強酸性水を得ることができる。また、比較的少量の吐水を使用する家庭用においては経済性の高い装置として使用できる。
　【００２７】
　アルカリイオン水と強酸性水とが混じりあわないように、添加筒の交換を感知するスイッチ手段を設けると共に、電解質の伝導度の差異によって電解水の変化を感知する機構を併用しているので、安全性の高い吐水を得ることができる。
　【００２８】
　第１の添加筒と第２の添加筒を交換したとき添加筒の近傍に設けられたスイッチ手段によって陰陽電極に印加する電圧の印加方向を自動的に反転するので、第１の添加筒を設けたとき主として採水するアルカリイオン水と第２の添加筒を設けたとき主として採水する
強
【図面の簡単な説明】
　【図１】
　本発明の多機能水生成装置の構成とその動作を説明する図である。
　【図２】
　本発明の第１の添加筒と第２の添加筒の構造を示す一部切欠き断面図である。
　【図３】
　本発明のスイッチ手段の信号と電解電流の変化から使用状態になつたことを明示する機構を示す回路ブロック図である。
　【図４】
　従来の多機能電解水生成装置を示す図である。
　【符号の説明】
　３　浄水器の吐水配管
　８−１　第１の添加筒
　８−２　第２の添加筒
　６　配管
　７　配管
　１０　電解槽
　１６　陰極室吐水口
　１７　陽極室吐水口